(57)【要約】【課題】使い勝手がよい映像表示端末保持具を提供する。【解決手段】保持具１は、筒部１０と、筒部１０の観察側である手前側の部分に取り付けられるレンズ枠２０と、端末５を保持する開閉扉４０を有する箱状であり内周面と筒部１０の外周面とが摺接することにより筒部１０に対して奥行方向に移動可能な端末保持箱３０とを備え、端末保持箱３０の２つの側板３３，３４は、奥行方向に平行なヒンジＨ３３，Ｈ３４を備える。【選択図】図１
2018006920.tif 000002
【特許請求の範囲】
【請求項１】
筒部と、
前記筒部の観察側である手前側の部分に取り付けられ、レンズを保持するレンズ枠と、
手前側に開口を有し、奥側に映像表示端末を保持する開閉扉を有する箱状であり、内周面と前記筒部の外周面とが摺接することにより前記筒部に対して奥行方向に移動可能な端末保持箱とを備え、
前記端末保持箱の２つの側板は、中央に奥行方向に平行なヒンジを備えること、
を特徴とする映像表示端末保持具。
【請求項２】
請求項１に記載の映像表示端末保持具において、
前記筒部の上板及び下板は、中央に奥行方向に平行なヒンジを備えること、
を特徴とする映像表示端末保持具。
【請求項３】
請求項２に記載の映像表示端末保持具において、
この映像表示端末保持具を奥行方向から見た状態で、縦方向の長さは、左右方向の長さの半分であること、
を特徴とする映像表示端末保持具。
【請求項４】
筒部と、
前記筒部の観察側である手前側の部分に取り付けられ、レンズを保持するレンズ枠と、
手前側に開口を有し、奥側に映像表示端末を保持する開閉扉を有する箱状であり、内周面と前記筒部の外周面とが摺接することにより前記筒部に対して奥行方向に移動可能な端末保持箱と、
前記開閉扉の内面に設けられ、映像表示端末の表示を透過して視認可能であり、映像表示端末を前記開閉扉の内面との間に挟んで保持する保持シートとを備えること、
を特徴とする映像表示端末保持具。
【請求項５】
請求項４に記載の映像表示端末保持具において、
前記端末保持箱に設けられたロック用穴と、
前記保持シートに設けられ、前記ロック用穴に挿入されることにより前記開閉扉を閉状態にするロック用突起を備えること、
を特徴とする映像表示端末保持具。
【請求項６】
請求項４又は請求項５に記載の映像表示端末保持具において、
前記保持シートは、前シートの両端及び奥シートの両端部が接続され、前記奥シートが前記開閉扉の内面に接着されていること、
を特徴とする映像表示端末保持具。
【請求項７】
請求項４から請求項６のいずれかに記載の映像表示端末保持具において、
前記開閉扉の両端から奥側に折られた補強片を備えること、
を特徴とする映像表示端末保持具。
【請求項８】
筒部と、
前記筒部の観察側である手前側の部分に取り付けられ、レンズを保持するレンズ枠と、
手前側に開口を有し、奥側に映像表示端末を保持する開閉扉を有する箱状であり、内周面と前記筒部の外周面とが摺接することにより前記筒部に対して奥行方向に移動可能な端末保持箱とを備え、
前記筒部は、前記筒部の一組の板部にそれぞれ設けられた切り欠き又は穴である挿入部を備え、
前記レンズ枠は、
一組の対向辺の各辺部から外側に突出する突出部を備え、
前記突出部が前記挿入部に対して挿抜されることにより、前記筒部に対して着脱可能であること、
を特徴とする映像表示端末保持具。
【請求項９】
請求項８に記載の映像表示端末保持具において、
前記筒部は、
左眼観察範囲、右眼観察範囲を仕切る仕切板と、
前記仕切板を着脱可能に保持する仕切板保持部とを備えること、
を特徴とする映像表示端末保持具。
【請求項１０】
請求項９に記載の映像表示端末保持具において、
前記仕切板保持部は、前記仕切板を挟み込んで保持し、形状が異なる２つの仕切板挟み板を備えること、
を特徴とする映像表示端末保持具。
【請求項１１】
請求項８から請求項１０のいずれかに記載の映像表示端末保持具において、
前記筒部の形状は、手前側から見た状態で、複数の板部が各コーナ部のヒンジで接続された多角形であり、
前記筒部は、
複数の板部がヒンジで回転することにより、筒状の状態及び平板状の状態で変形可能であり、
前記レンズ枠の前記突出部は、前記筒部が筒状の状態において、一組の対向する板部の前記挿入部に対して挿入されることにより、一組の対向する板部を左右方向に移動しないように規制すること、
を特徴とする映像表示端末保持具。
【請求項１２】
請求項８から請求項１１のいずれかに記載の映像表示端末保持具において、
前記レンズ枠は、
１つのレンズを備える単レンズ枠と、
２つのレンズを備える双眼レンズ枠とを備え、
前記単レンズ枠、前記双眼レンズ枠は、
それぞれ前記突出部を備え、
前記突出部が前記挿入部に対して挿抜されることにより、前記筒部に対して交換可能に装着されること、
を特徴とする映像表示端末保持具。
【請求項１３】
請求項１２に記載の映像表示端末保持具において、
前記単レンズ枠は、映像表示端末が読み取り可能であり、単レンズ用の映像を表示部に表示するための単レンズ映像表示情報を備え、
前記双眼レンズ枠は、映像表示端末が読み取り可能であり、双眼レンズ用の映像を表示部に表示するための双眼レンズ映像表示情報を備えること、
を特徴とする映像表示端末保持具。
【請求項１４】
筒部と、
前記筒部の観察側である手前側の部分に取り付けられ、レンズを保持するレンズ枠と、
手前側に開口を有し、奥側に映像表示端末を保持する開閉扉を有する箱状であり、内周面と前記筒部の外周面とが摺接することにより前記筒部に対して奥行方向に移動可能な端末保持箱とを備え、
前記筒部の２つの側板の奥側端部は、
上板及び下板の奥側端部よりも、奥側に突出し、
前記筒部を奥側に移動することにより、前記開閉扉に当接すること、
を特徴とする映像表示端末保持具。
【請求項１５】
筒部と、
前記筒部の観察側である手前側の部分に取り付けられ、レンズを保持するレンズ枠と、
手前側に開口を有し、奥側に映像表示端末を保持する開閉扉を有する箱状であり、内周面と前記筒部の外周面とが摺接することにより前記筒部に対して奥行方向に移動可能な端末保持箱とを備え、
前記筒部の側板の手前側の範囲は、
前記端末保持箱の手前側端部よりも突出しており、
指を挿入して、前記筒部を移動するための操作穴を備えること、
を特徴とする映像表示端末保持具。
【発明の詳細な説明】
【技術分野】
【０００１】
本発明は、映像表示端末を保持する映像表示端末保持具に関するものである。
【背景技術】
【０００２】
従来、バーチャルリアリティ（ＶＲ）、オーグメンテッドリアリティ（ＡＲ）等を体験できる箱型の映像表示端末保持具があった（例えば非特許文献１）。
しかし、従来の映像表示端末保持具は、使い勝手が悪かった。
【先行技術文献】
【非特許文献】
【０００３】
【非特許文献１】“ルクラスダブル（２眼）スペック情報”、［ｏｎｌｉｎｅ］、［平成２８年６月２４日検索］、インターネット＜ＵＲＬ：ｈｔｔｐ：／／ｖｒｉｎｓｉｄｅ．ｊｐ／ｒｕｋｕｒａｓｕ２／＞
【発明の概要】
【発明が解決しようとする課題】
【０００４】
本発明の課題は、使い勝手がよい映像表示端末保持具を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、筒部（１０）と、前記筒部の観察側である手前側の部分に取り付けられ、レンズ（２０ａ，１２０ａ）を保持するレンズ枠（２０，１２０）と、手前側に開口を有し、奥側に映像表示端末を保持する開閉扉（４０）を有する箱状であり、内周面と前記筒部の外周面とが摺接することにより前記筒部に対して奥行方向に移動可能な端末保持箱（３０）とを備え、前記端末保持箱の２つの側板（３３，３４）は、中央に奥行方向に平行なヒンジ（Ｈ３３，Ｈ３４）を備えること、を特徴とする映像表示端末保持具である。
・第２の発明は、第１の発明の映像表示端末保持具において、前記筒部（１０）の上板（１２）及び下板（１１）は、中央に奥行方向に平行なヒンジ（Ｈ１１，Ｈ１２）を備えること、を特徴とする映像表示端末保持具である。
・第３の発明は、第２の発明の映像表示端末保持具において、この映像表示端末保持具を奥行方向から見た状態で、縦方向の長さ（Ｌ１Ｚ）は、左右方向の長さ（Ｌ１Ｘ）の半分であること、を特徴とする映像表示端末保持具である。
・第４の発明は、筒部（１０）と、前記筒部の観察側である手前側の部分に取り付けられ、レンズ（２０ａ，１２０ａ）を保持するレンズ枠（２０，１２０）と、手前側に開口を有し、奥側に映像表示端末を保持する開閉扉（４０）を有する箱状であり、内周面と前記筒部の外周面とが摺接することにより前記筒部に対して奥行方向に移動可能な端末保持箱（３０）と、前記開閉扉の内面に設けられ、映像表示端末の表示を透過して視認可能であり、映像表示端末を前記開閉扉の内面との間に挟んで保持する保持シート（５０）とを備えること、を特徴とする映像表示端末保持具である。
・第５の発明は、第４の発明の映像表示端末保持具において、前記端末保持箱（３０）に設けられたロック用穴（３２ａ）と、前記保持シート（５０）に設けられ、前記ロック用穴に挿入されることにより前記開閉扉（４０）を閉状態にするロック用突起（５２ａ）を備えること、を特徴とする映像表示端末保持具である。
・第６の発明は、第４又は第５の発明の映像表示端末保持具において、前記保持シート（５０）は、前シート（５１）の両端及び奥シート（５２）の両端部が接続され、前記奥シートが前記開閉扉（４０）の内面に接着されていること、を特徴とする映像表示端末保持具である。
・第７の発明は、第４から第６のいずれかの発明の映像表示端末保持具において、前記開閉扉（４０）の両端から奥側に折られた補強片（４１，４２）を備えること、を特徴とする映像表示端末保持具である。
・第８の発明は、筒部（１０）と、前記筒部の観察側である手前側の部分に取り付けられ、レンズ（２０ａ，１２０ａ）を保持するレンズ枠（２０，１２０）と、手前側に開口を有し、奥側に映像表示端末を保持する開閉扉（４０）を有する箱状であり、内周面と前記筒部の外周面とが摺接することにより前記筒部に対して奥行方向に移動可能な端末保持箱（３０）とを備え、前記筒部は、前記筒部の一組の板部（１１，１２）にそれぞれ設けられた切り欠き又は穴である挿入部（１６ａ）を備え、前記レンズ枠は、一組の対向辺の各辺部から外側に突出する突出部（２６ａ，１２６ａ）を備え、前記突出部が前記挿入部に対して挿抜されることにより、前記筒部に対して着脱可能であること、を特徴とする映像表示端末保持具である。
・第９の発明は、第８の発明の映像表示端末保持具において、前記筒部（１０）は、左眼観察範囲、右眼観察範囲を仕切る仕切板（８０）と、前記仕切板を着脱可能に保持する仕切板保持部（１７）とを備えること、を特徴とする映像表示端末保持具である。
・第１０の発明は、第９の発明の映像表示端末保持具において、前記仕切板保持部（１７）は、前記仕切板（８０）を挟み込んで保持し、形状が異なる２つの仕切板挟み板（１７ｂ）を備えること、を特徴とする映像表示端末保持具である。
・第１１の発明は、第８から第１０のいずれかの発明の映像表示端末保持具において、前記筒部（１０）の形状は、手前側から見た状態で、複数の板部（１１，１２，１３，１４）が各コーナ部のヒンジ（Ｈ１３ａ，Ｈ１３ｂ，Ｈ１４ａ，Ｈ１４ｂ）で接続された多角形であり、前記筒部は、複数の板部がヒンジで回転することにより、筒状の状態及び平板状の状態で変形可能であり、前記レンズ枠（２０，１２０）の前記突出部（２６ａ）は、前記筒部が筒状の状態において、一組の対向する板部の前記挿入部に対して挿入されることにより、一組の対向する板部を左右方向に移動しないように規制すること、を特徴とする映像表示端末保持具である。
・第１２の発明は、第８から第１１のいずれかの発明の映像表示端末保持具において、前記レンズ枠（２０，１２０）は、１つのレンズ（２０ａ）を備える単レンズ枠（２０）と、２つのレンズ（１２０ａ）を備える双眼レンズ枠（１２０）とを備え、前記単レンズ枠、前記双眼レンズ枠は、それぞれ前記突出部（２６ａ）を備え、前記突出部が前記挿入部（１６ａ）に対して挿抜されることにより、前記筒部（１０）に対して交換可能に装着されること、を特徴とする映像表示端末保持具である。
・第１３の発明は、第１２の発明の映像表示端末保持具において、前記単レンズ枠（２０）は、映像表示端末が読み取り可能であり、単レンズ用の映像を表示部に表示するための単レンズ映像表示情報（２７）を備え、前記双眼レンズ枠（１２０）は、映像表示端末が読み取り可能であり、双眼レンズ用の映像を表示部に表示するための双眼レンズ映像表示情報（１２７）を備えること、を特徴とする映像表示端末保持具である。
・第１４の発明は、筒部（１０）と、前記筒部の観察側である手前側の部分に取り付けられ、レンズ（２０ａ，１２０ａ）を保持するレンズ枠（２０，１２０）と、手前側に開口を有し、奥側に映像表示端末を保持する開閉扉（４０）を有する箱状であり、内周面と前記筒部の外周面とが摺接することにより前記筒部に対して奥行方向に移動可能な端末保持箱（３０）とを備え、前記筒部（１０）の２つの側板の奥側端部は、上板及び下板の奥側端部よりも、奥側に突出し、前記筒部を奥側に移動することにより、前記開閉扉に当接すること、を特徴とする映像表示端末保持具である。
・第１５の発明は、筒部（１０）と、前記筒部の観察側である手前側の部分に取り付けられ、レンズ（２０ａ，１２０ａ）を保持するレンズ枠（２０，１２０）と、手前側に開口を有し、奥側に映像表示端末を保持する開閉扉（４０）を有する箱状であり、内周面と前記筒部の外周面とが摺接することにより前記筒部に対して奥行方向に移動可能な端末保持箱（３０）とを備え、前記筒部の側板の手前側の範囲は、前記端末保持箱の手前側端部よりも突出しており、指を挿入して、前記筒部を移動するための操作穴（１３ａ，１４ａ）を備えること、を特徴とする映像表示端末保持具である。
【発明の効果】
【０００７】
本発明によれば、使い勝手がよい映像表示端末保持具を提供できる。
【図面の簡単な説明】
【０００８】
【図１】実施形態の保持具１を手前側Ｙ１から見た斜視図である。
【図２】実施形態の保持具１を奥側Ｙ２から見た斜視図である。
【図３】実施形態の保持具１の分解斜視図である。
【図４】実施形態の保持具１を、上側Ｚ２（鉛直方向Ｚ）から見た断面図である。
【図５】実施形態の保持具１を、手前側Ｙ１（奥行方向Ｙ）から見た断面図である。
【図６】実施形態の筒部１０の形態が変形する態様を説明する斜視図である。
【図７】実施形態の端末保持箱３０の形態が変形する態様を説明する斜視図である。
【図８】実施形態の保持具１を作製するための部品の一例を説明する図である。
【図９】実施形態の双眼レンズ枠１２０を説明する図である。
【図１０】実施形態の仕切板８０、筒部１０の仕切板保持部１７の近傍の構成の斜視図である。
【図１１】実施形態の保持具１の収容例を示す斜視図である。
【発明を実施するための形態】
【０００９】
（実施形態）
以下、図面等を参照して、本発明の実施形態について説明する。
図１は、実施形態の保持具１を手前側Ｙ１から見た斜視図である。
図１（Ａ）は、端末−レンズ間隔が最短の状態である。
図１（Ｂ）は、端末−レンズ間隔が最長の状態である。
図２は、実施形態の保持具１を奥側Ｙ２から見た斜視図である。
図２（Ａ）は、扉４０を閉じた状態である。
図２（Ｂ）は、扉４０を開いた状態である。
図２（Ｃ）は、外形が小さい端末５Ｂを示す図である。
図３は、実施形態の保持具１の分解斜視図である。
なお、図３は、保持シート５０の図示を省略した。
図４は、実施形態の保持具１を、上側Ｚ２（鉛直方向Ｚ）から見た断面図である。
図４（Ａ）は、端末−レンズ間隔が最短の状態であり、図１（Ａ）の４Ａ−４Ａ部を通るＸＹ平面で切断した断面図である。
図４（Ｂ）は、端末−レンズ間隔が最長の状態であり、図１（Ｂ）を図４（Ａ）と同様に切断した断面図である。
図５は、実施形態の保持具１を、手前側Ｙ１（奥行方向Ｙ）から見た断面図である。
図５（Ａ）は、図４（Ｂ）の５Ａ−５Ａ断面図である。
図５（Ｂ）は、図４（Ａ）の５Ｂ−５Ｂ断面図である。
斜視図では、便宜上、各板の厚みを省略して図示する。
【００１０】
実施形態、図面では、説明と理解を容易にするために、ＸＹＺ直交座標系を設けた。この座標系は、保持具１を正配置した状態において、奥行方向Ｙ（手前側Ｙ１、奥側Ｙ２）、左右方向Ｘ（左側Ｘ１、右側Ｘ２）、鉛直方向Ｚ（下側Ｚ１、上側Ｚ２）を表す。
保持具１の正位置とは、保持具１の通常の使用状態の配置である。つまり、保持具１を正配置した状態とは、利用者が観察方向（つまりレンズ２０ａの光軸の方向）を保持具１の奥行方向Ｙに平行にし、かつ、保持具１の外形（長方形）の長手方向を左右方向Ｘに平行にした状態である。奥行方向Ｙ、左右方向Ｘは、水平方向の軸である。奥行方向Ｙの手前側Ｙ１は、利用者の観察側であり、また、奥側Ｙ２は、端末５が保持される方向（端末５側）である。
実施形態では、保持具１の構成を明確に説明するために、この座標系を用いるが、利用者は、保持具１を正配置した状態から、例えば、左右方向Ｘ、奥行方向Ｙに傾けて利用することもできる。
【００１１】
保持具１（映像表示端末保持具）は、ＶＲ（バーチャルリアリティ）用の映像を表示する端末５（映像表示端末）を保持するものである。利用者は、端末５の映像を、保持具１の手前側Ｙ１からレンズ２０ａを通して観察することにより、ＶＲを体感できる。
端末５の種類は、ＶＲ用の映像を表示する表示部５ａを備えるものであればよく、限定されない。端末５は、例えば、多機能携帯電話機、タブレット型のコンピュータを用いる。
表示部５ａは、表示装置と、端末５を操作する操作装置（操作部）とを兼用したタッチパネルディスプレイである。
保持具１は、板材を加工することにより、作製できる（図８参照）。板材は、例えば、紙材（段ボール、コート紙等）、樹脂シート等を用いる。
【００１２】
図１に示すように、保持具１は、筒部１０、レンズ枠２０、端末保持箱３０を備える。
筒部１０は、端末保持箱３０に対して奥行方向Ｙに移動可能である。利用者は、映像を観察しやすくするために、適切な端末５及びレンズ２０ａ間の長さ（実施形態では、適宜「端末−レンズ間隔」ともいう）に調整できる。適切な端末−レンズ間隔は、利用者の視力等によって、利用者毎に異なる。
【００１３】
［保持具１の構成］
（筒部１０）
筒部１０は、奥行方向Ｙに開口を有する筒状の部材である。筒部１０を手前側Ｙ１から見た形状は、左右方向Ｘに細長い長方形である。
筒部１０は、左部分を構成する板材、右部分を構成する板材を貼り合わせることにより、形成される（図８参照）。
筒部１０は、下板１１、上板１２、左側Ｘ１の側板１３、右側Ｘ２の側板１４、レンズ枠装着部１６、仕切板保持部１７、鼻避１９を備える。
下板１１、上板１２、側板１３、側板１４は、それぞれ筒部１０の下壁部、上壁部、左壁部、右壁部を形成する板部である。
【００１４】
各板部間は、以下のように、ヒンジによって、ヒンジの回転軸回りに回転可能に接続される。なお、以下の説明では、隣合う板部がヒンジの回転軸回りに回転することを、単に、「ヒンジ回りに回転」ともいう。
図３に示すように、下板１１及び側板１３，１４は、ヒンジＨ１３ａ，Ｈ１４ａによって接続されている。
上板１２及び側板１３，１４は、ヒンジＨ１３ｂ，Ｈ１４ｂによって接続されている。
このように、筒部１０は、断面形状が長方形の筒体であり、また、長方形の各コーナ部には、ヒンジが配置される。
また、下板１１の中央には、奥行方向Ｙに平行なヒンジＨ１１を備える。
同様に、上板１２の中央には、上板１２を２つ折り可能なヒンジＨ１２を備える。
なお、ヒンジは、板材に、押罫、ミシン目等を加工することにより形成できる。後述する端末保持箱３０のヒンジも同様である。
【００１５】
奥行方向Ｙの長さにおいて、側板１３，１４は、下板１１、上板１２よりも長い。
側板１３，１４の奥辺部は、下板１１及び上板１２の奥辺部（奥側端部）よりも、奥側に突出している（図４（Ａ）の長さＬ１参照）。
側板１３，１４の手前側部分（半円状の部分）の範囲は、手前側Ｙ１に突出している。
また、この突出した部分は、操作穴１３ａ，１４ａを備える。
利用者は、筒部１０を、端末保持箱３０に対して移動する場合に、親指等を操作穴１３ａ，１４ａに挿入する（図１（Ｂ）参照）。なお、利用者は、端末５に映像を観察している場合にも、親指等を操作穴１３ａ，１４ａに挿入してもよい。これにより、操作穴１３ａ，１４ａから保持具１の内部に入り込む外光は、少なくなる。
レンズ枠装着部１６は、レンズ枠２０を着脱可能に装着する部分である。
レンズ枠装着部１６は、下板１１、上板１２にそれぞれ設けられている。
【００１６】
以下、下板１１のレンズ枠装着部１６の形状について説明する。上板１２のレンズ枠装着部１６の形状は、下板１１のレンズ枠装着部１６の形状と同様である。
図３に示すように、レンズ枠装着部１６は、下板１１の前辺部に設けられている。
レンズ枠装着部１６は、切り欠き１６ａ（挿入部）、突起１６ｂを備える。
切り欠き１６ａは、下板１１の前辺部を、左右方向Ｘに細長い長方形で、奥側Ｙ２に向けて切り欠いた形状である。この長方形は、レンズ枠２０の突出部２６ａ（後述する）の形状に対応している。
突起１６ｂは、切り欠き１６ａの両端かつ手前側Ｙ１の部分から、左右内側に突出している。
【００１７】
仕切板保持部１７は、仕切板８０（図１０参照）を、着脱可能に保持する部分である。
仕切板保持部１７は、下板１１、上板１２のヒンジＨ１１，Ｈ１２に、それぞれ接続されている。仕切板保持部１７は、ヒンジＨ１１，Ｈ１２から内側（上側Ｚ２、下側Ｚ１）に、突出するように設けられている。仕切板保持部１７の詳細は、後述する。
鼻避１９は、保持具１を利用者に装着した状態において、利用者の鼻を避けるための窪みである。鼻避１９は、下板１１の前辺部の中央に設けられている。
【００１８】
（レンズ枠２０）
図３に示すように、レンズ枠２０は、レンズ２０ａを保持した部材である。
レンズ枠２０は、筒部１０の手前側Ｙ１の部分に取り付けられる。このため、レンズ２０ａも、筒部１０の手前側Ｙ１の部分に配置される。
レンズ２０ａは、フルネルレンズ等によって構成される。手前側Ｙ１から見たレンズ２０ａの外形は、左右方向Ｘに細長い長方形である。これにより、利用者は、レンズ２０ａを通して、両目で映像を観察できる。
後述するように、保持具１は、１つのレンズ２０ａを保持するレンズ枠２０（単レンズ枠）を、２つのレンズ１２０ａを備える双眼レンズ枠１２０へと交換できる。
【００１９】
レンズ枠２０を手前側Ｙ１から見た状態の形状を説明する。
レンズ枠２０の形状は、左右方向Ｘに細長いほぼ長方形である。
レンズ枠２０は、突出部２６ａ、二次元コード２７（単レンズ映像表示情報）、鼻避２９を備える。
突出部２６ａは、レンズ枠２０を筒部１０に取り付けるための部分である。
突出部２６ａは、下辺部２１、上辺部２２（一組の対向辺の各辺部）にそれぞれ設けられている。
下辺部２１の突出部２６ａの形状は、上辺部２２の突出部２６ａの形状と同様（鉛直方向Ｚにおいて対称）である。但し、下辺部２１の突出部２６ａは、鼻避２９によって、中央部で分断されている。
突出部２６ａは、下辺部２１、上辺部２２から鉛直方向Ｚに突出するように設けられる。
突出部２６ａは、筒部１０の切り欠き１６ａに挿抜可能である。これにより、レンズ枠２０は、筒部１０に対して着脱可能に装着される。
突出部２６ａの先端かつ左右両端部は、左右外側に突出する突起２６ｂを備える。
【００２０】
二次元コード２７は、レンズ枠２０の板材に印刷すること等によって形成される。二次元コード２７は、レンズ枠２０の手前側Ｙ１の面に配置されている。二次元コード２７は、端末５の撮像装置を用いて、読み取り可能である。二次元コード２７は、単レンズ用のコンテンツを表示部５ａに表示するための情報を有する。つまり、二次元コード２７は、端末５の制御部（図示せず）に対して、特定のサーバに接続し、複数のコンテンツのなかから、単レンズ用のコンテンツの映像を表示部５ａに表示するように命令するための情報を備える。
このため、利用者は、ＶＲ映像用のコンテンツを選択する場合には、端末５を保持具１に保持する前に、端末５の撮像装置を用いて、読み取り取ればよい。これにより、端末５の制御部は、単レンズ用のコンテンツの映像を、表示部５ａに表示する。
【００２１】
なお、二次元コード２７の情報は、上記内容に限定されず、端末５の制御部に対して、単レンズ用の映像を表示部５ａに表示するものであればよい。例えば、予め、端末５の記憶部（図示せず）に単レンズ用の映像情報が記憶されている形態では、二次元コード２７の情報は、記憶部の情報から、この映像情報を選択して、表示部５ａに表示するものでもよい。
また、映像を表示するための情報は、二次元コード２７に限定されず、例えば、非接触で通信可能なＩＣチップ、一次元バーコード等でもよい。これらの形態では、端末５にこれらの情報を読み取るための読み取り装置を設ければよい。
【００２２】
（端末保持箱３０）
図１から図３に示すように、端末保持箱３０は、下板３１、上板３２、左側Ｘ１の側板３３、右側Ｘ２の側板３４、扉４０（開閉扉）、鼻避４９を備える。
端末保持箱３０は、下板３１、上板３２、側板３３、側板３４が奥行方向Ｙに開口する枠状に形成され、かつ、扉４０が下板３１の奥辺部に回転可能に接続された箱状である。つまり、端末保持箱３０は、底板として扉４０を有し、手前側Ｙ１が開口する箱体である。
下板３１、上板３２は、それぞれ端末保持箱３０の下壁部、上壁部を形成する板部である。側板３３，３４は、それぞれ端末保持箱３０の左壁部、右壁部を形成する板部である。
【００２３】
各板部間は、以下のように、ヒンジによって、回転可能に接続される。
下板３１と、側板３３，３４とは、それぞれヒンジＨ３３ａ，Ｈ３４ａによって接続されている。
上板３２と、側板３３，３４とは、それぞれヒンジＨ３３ｂ，Ｈ３４ｂによって接続されている。
下板３１と、扉４０とは、下板３１の奥辺部のヒンジＨ４０によって接続されている。
また、側板３３，３４の中央には、奥行方向Ｙに平行なヒンジＨ３３，Ｈ３４を備える。
【００２４】
左右方向Ｘの長さにおいて、下板３１と、上板３２とは等しい。奥行方向Ｙの長さにおいて、下板３１は、上板３２よりも短い。
上板３２は、ロック用穴３２ａ、取手用切り欠き３２ｂを備える。
ロック用穴３２ａは、扉４０が閉じた状態を維持するためのものである。ロック用穴３２ａは、上板３２の奥側Ｙ２の範囲に設けられている。
取手用切り欠き３２ｂは、取手４３を掴みやすくするためのものである。取手用切り欠き３２ｂは、上板３２の奥辺部を内側に切り欠いた形状である。
下板３１及び上板３２の奥行方向Ｙの長さが異なるので、側板３３，３４の奥辺部は、奥側Ｙ２に至る程、上側Ｚ２に至るように傾斜している。
【００２５】
扉４０は、補強片４１，４２、取手４３、保持シート５０を備える。
以下の説明において、各方向は、扉４０を閉じた状態のものである。
補強片４１，４２は、扉４０の左右辺部に、それぞれ設けられている。補強片４１，４２は、扉４０の左右辺部に、ヒンジＨ４１，Ｈ４２で接続されている。
扉４０を閉じた状態では、補強片４１，４２の奥辺部は、側板３３，３４の奥辺部と同様に傾斜している。
取手４３は、扉４０の上辺部（先端の辺部）に、ヒンジＨ４３で接続されている。扉４０を閉じた状態では、取手４３の奥辺部は、上板３２の奥辺部と同じ位置である。
このため、扉４０を閉じた状態では、補強片４１，４２、取手４３は、端末保持箱３０の上板３２，側板３３，３４の内側に丁度収まる。
【００２６】
補強片４１，４２、取手４３は、扉４０の上辺部、左右辺部から、奥側Ｙ２に向けて立ち上がっている。このため、扉４０は、強度が向上する。
また、扉４０は、保持シート５０が接着されることにより、強度がさらに向上する。
【００２７】
保持シート５０は、端末５を扉４０に保持するための部材である。保持シート５０は、扉４０の内面に設けられている。以下の各方向の説明は、扉４０を閉じた状態のものである。
保持シート５０は、透明樹脂シート材（ＰＥＴ樹脂シート等）により形成される。
保持シート５０は、前シート５１、奥シート５２を備え、これらの両端部が接続される。奥シート５２の外周部と、扉４０の内面とは、両面テープ５５（図５（Ｂ）に破線のハッチングで示す）によって接着される。
図４（Ｂ）に示すように、但し、両面テープ５５のうち左右部分５５ａは、奥シート５２の左右外形よりも内側に配置されている（長さＬ５５参照）。
このため、保持シート５０は、平板状から筒状に膨らむように変形することにより、その内部に端末５を押さえるようにして、保持できる。すなわち、端末５は、前シート５１と、奥シート５２を介して扉４０の内面とに挟まれることにより、扉４０に保持される。
【００２８】
上記構成により、端末５の表示部５ａの映像は、前シート５１を通して、視認可能である。また、前シート５１は、表示部５ａに密着する。このため、利用者は、扉４０を開いた状態で、前シート５１上から表示部５ａにタッチすることにより、端末５を操作できる。
さらに、保持シート５０は、左右対称の構成であるため、端末５を挿入された状態では、左右対称に膨らもうとする。このため、保持シート５０は、端末５を、左右方向Ｘにおいて扉４０の中央に保持できる。
なお、図２（Ｃ）に示すように、小さい端末５Ｂを利用する場合には、端末５ＢをＵ字状のスペーサ６の内部に収容した状態で、保持シート５０内に収容してもよい。
【００２９】
図２に示すように、奥シート５２は、ロック用突起５２ａを備える。
ロック用突起５２ａは、奥シート５２の上辺部の中央から上側Ｚ２に向けて突出している。
ロック用突起５２ａ、ロック用穴３２ａは、扉４０の開閉に応じて、扉４０のロック、及びその解除をすることができる。
すなわち、利用者は、取手４３を掴みながら、扉４０を閉じればよい。この場合、ロック用突起５２ａは、撓みながらロック用穴３２ａに挿入される。これにより、扉４０は、閉状態にロックされる。
同様に、利用者は、取手用切り欠き３２ｂから露出した取手４３を持ちながら、扉４０を開けばよい。この場合、ロック用突起５２ａは、撓みながらロック用穴３２ａから抜ける。これにより、扉４０のロックは、解除される。
【００３０】
このように、扉４０のロック及びその解除は、操作が容易である。また、保持シート５０は、樹脂シート材であるので、ロック用突起５２ａの撓みの繰り返し耐久性は、紙材等よりも高い。さらに、ロック用突起５２ａは、保持シート５０の一部を利用して形成されるので、低コストで設けることができる。
【００３１】
［組み立て状態の各部材の機能、使用方法］
（端末−レンズ間隔の調整）
筒部１０を端末保持箱３０に対して奥側Ｙ２に移動すると、端末保持箱３０の下板３１の前辺部３１ａと、レンズ枠２０とが当接する（図４（Ａ）参照）。このように当接した状態が、丁度、端末−レンズ間隔が最短の状態である。つまり、端末保持箱３０の下板３１の前辺部３１ａは、端末−レンズ間隔が最短の状態において、レンズ枠２０に当接するように設定されている。このため、端末−レンズ間隔が最短の状態にするための操作が容易であり、また、ストッパの構成が簡単である。
【００３２】
なお、板材の撓み等によって、筒部１０は、設定上の端末−レンズ間隔が最短の状態よりも、奥側Ｙ２に移動してしまう場合がある。また、端末５は、その重さ等によって下側Ｚ１に下がってしまい、端末保持箱３０の下板３１に接触してしまう場合がある（図５（Ｂ）の矢印Ａ１参照）。
前述したように、筒部１０の側板１３，１４の奥辺部は、下板１１及び上板１２の奥側端部よりも奥側Ｙ２に突出している。このため、このような場合でも、側板１３，１４の奥辺部が扉４０の内面に当接することにより、下板３１及び上板３２と扉４０との間は、長さＬ１（図４（ａ）参照）の隙間が確保される。これにより、保持具１は、筒部１０が端末５に当接しまうことを抑制できる。
【００３３】
図５（Ｂ）に示すように、手前側Ｙ１から見た状態で、端末保持箱３０の内周面の外形と、筒部１０の外周面の大きさとは、等しい（長さＬＸ，ＬＺ参照）。このため、端末保持箱３０の内周面と、筒部１０の外周面とが摺接することにより、筒部１０は、端末保持箱３０に対して、奥行方向Ｙに移動できる。これにより、端末−レンズ間隔が調整可能である。
なお、端末−レンズ間隔が最短の状態において、筒部１０の手前側Ｙ１の部分は、端末保持箱３０よりも手前側Ｙ１に突出している。このため、利用者は、端末−レンズ間隔を調整する場合、操作穴１３ａ，１４ａに指を挿入して、筒部１０を奥行方向Ｙに移動できる（図１参照）。
【００３４】
（レンズ枠２０の保持構造）
図１、図３、図５（Ａ）に示すように、レンズ枠２０は、上下の突出部２６ａが、それぞれ筒部１０の上下の切り欠き１６ａに挿入されることにより保持される。
鉛直方向Ｚにおいて、レンズ枠２０の辺部（短辺）の長さと、筒部１０の内形の長さとは、等しい（図５（Ａ）の長さＬ２３参照）。このため、レンズ枠２０は、筒部１０に対して、鉛直方向Ｚに移動しないように規制される。
左右方向Ｘにおいて、突出部２６ａの根元の長さと、筒部１０の切り欠き１６ａの長さとは、等しい（図５（Ａ）の長さＬ２６ａ参照）。このため、レンズ枠２０は、筒部１０に対して、左右方向Ｘに移動しないように規制される。
【００３５】
奥行方向Ｙにおいて、筒部１０の下側Ｚ１の突起１６ｂと、切り欠き１６ａの最深部とは、レンズ枠２０を挟み込む。これにより、レンズ枠２０の突出部２６ａは、切り欠き１６ａに収容された状態が維持され、かつ、手前側Ｙ１に移動しないように規制される。筒部１０の上側Ｚ２の突起１６ｂと、レンズ枠２０の上側Ｚ２の突出部２６ａも同様である。
このように、筒部１０は、レンズ枠２０を各方向に移動しないように、確実に保持できる。
【００３６】
（筒部１０の強度）
上記レンズ枠２０の保持構造によって、筒部１０は、以下のように筒部１０の強度を向上できる。
（１）図５（Ａ）に示すように、操作時等において、筒部１０に対して鉛直方向Ｚから力Ｆ１が加わった場合には、レンズ枠２０は、下板１１、上板１２を介して、この力を受け止める。これにより、筒部１０は、耐荷重を向上できる。
【００３７】
（２）図５（Ａ）に示すように、レンズ枠２０の上下の突出部２６ａは、筒部１０の下板１１、上板１２の切り欠き１６ａ（一組の対向する板部の切り欠き）に挿入されている。このため、レンズ枠２０は、筒部１０の下板１１及び上板１２を、互いに左右方向Ｘ（奥行方向Ｙに直交し、かつ、一組の対向する板部の平面に平行な方向）に移動しないように規制できる。
【００３８】
（３）図５（Ａ）に示すように、鉛直方向Ｚにおいて、レンズ枠２０の下側Ｚ１の突起２６ｂと、下辺部２１とは、筒部１０の下板１１を挟み込む。これにより、この突起２６ｂは、筒部１０の下板１１の下側Ｚ１への変形を抑制でき、かつ、突出部２６ａが下板１１の切り欠き１６ａから不意に抜けてしまうことを抑制できる。レンズ枠２０の上側Ｚ２の突出部２６ａと、筒部１０の上板１２についても、同様である。
【００３９】
（端末保持箱３０の強度）
図５（Ｂ）に示すように、下板３１、上板３２の奥側Ｙ２の範囲に対して鉛直方向Ｚから力Ｆ２が加わった場合には、扉４０は、この力Ｆ２を受け止める。この場合、扉４０は、補強片４１，４２によって、屈曲しにくい。
また、端末保持箱３０の手前側Ｙ１の範囲には、筒部１０が挿入されている。このため、操作時等において、端末保持箱３０の下板３１、上板３２に対して鉛直方向Ｚから力Ｆ２が加わった場合には、筒部１０がこの力Ｆ２を受け止める。
これにより、端末保持箱３０は、耐荷重を向上できる。
【００４０】
［保持具１の形態の変形］
（組み立て状態及び分解状態間の変形）
利用者は、組み立て状態の保持具１を、以下の工程に従って、分解状態に分解できる。なお、手順は、適宜、変更してもよい。
（１）図３に示すように、筒部１０を端末保持箱３０に対して手前側Ｙ１に移動することにより、筒部１０を端末保持箱３０から完全に引き出す。これにより、端末保持箱３０、筒部１０が分離する。
（２）レンズ枠２０、筒部１０を撓ませながら、レンズ枠２０の突出部２６ａを、筒部１０の切り欠き１６ａから抜く。これにより、レンズ枠２０、筒部１０が分離する。
以上により、保持具１は、３つの部品に分離し、つまり、分解状態に変形する。端末５は、保持シート５０から抜き出すことにより、取り外すことができる。
なお、保持具１を分解状態から組み立て状態に変形する場合には、上記とは逆の内容の作業を行えばよい。
【００４１】
（分解状態での変形）
図６は、実施形態の筒部１０の形態が変形する態様を説明する斜視図である。
図７は、実施形態の端末保持箱３０の形態が変形する態様を説明する斜視図である。
（筒部１０の変形）
分解状態の筒部１０は、図３の筒状態（立体的な筒状の状態）及び図６（Ｂ）の平板状態（平らな平板状の状態）の間で変形する。
図３に示すように、筒状態では、隣合う板部間がヒンジＨ１３ａ，Ｈ１３ｂ，Ｈ１４ａ，Ｈ１４ｂ回りに、９０°開いた状態である。
また、下板１１は、ヒンジＨ１１で開いた状態であり、平板状である。上板１２も同様である。
利用者は、筒部１０を、筒状態から平板状態に変形する場合には、以下の手順に従えばよい。
【００４２】
図６（Ａ）に示すように、下板１１の左板部、右板部をヒンジＨ１１回りに回転することにより、これらの内面（上面）が向かい合うように変形する。つまり、左板部、右板部を、下側Ｚ１に凸になるように変形する。
これにともない、下板１１の左板部及び側板１３は、ヒンジＨ１３ａ回りに閉じるように変形する。右板部及び側板１４は、ヒンジＨ１４ａ回りに閉じるように変形する。また、仕切板保持部１７は、左板部、右板部に対して、ヒンジＨ１１回りに回転する。
図６（Ｂ）に示すように、これにより、下板１１の左板部、右板部は、２つ折りにされる。また、仕切板保持部１７は、左板部、右板部に挟まれた状態になる。
【００４３】
図６（Ａ）に示すように、同様に、上板１２の左板部、右板部をヒンジＨ１２回りに回転することにより、これらの外面（上面）が向かい合うように変形する。つまり、左板部、右板部を、下側Ｚ１に凹になるように変形する。また、仕切板保持部１７は、左板部、右板部に対して、ヒンジＨ１２回りに回転する。
これにともない、上板１２の左板部及び側板１３は、ヒンジＨ１３ｂ回りに閉じるように変形する。右板部及び側板１４は、ヒンジＨ１４ｂ回りに閉じるように変形する。仕切板保持部１７は、左板部、右板部に対して、ヒンジＨ１２回りに回転する。
図６（Ｂ）に示すように、これにより、上板１２の左板部、右板部は、２つ折りにされる。また、仕切板保持部１７は、ヒンジＨ１２から下側Ｚ１に突出した状態、かつ、下板１１の左板部、右板部に挟まれた状態になる。
【００４４】
また、側板１３，１４は、左右方向Ｘにおいて、近付くように平行移動する。
以上により、筒部１０は、筒状態から平板状態に変形する。
なお、筒部１０を平板状態から筒状態に変形する場合には、上記とは逆の内容の作業を行えばよい。
また、上記とは異なり、下板１１を内側に２つ折りし、かつ、上板１２を外側に２つ折りしてもよい。
【００４５】
（端末保持箱３０の変形）
分解状態の端末保持箱３０は、図３の箱状態（立体的な箱状の状態）及び図７（Ｃ）の平板状態（平らな平板状の状態）の間で変形する。
図３に示すように、端末保持箱３０は、箱状態では、隣合う板部間がヒンジＨ３３ａ，Ｈ３３ｂ，Ｈ３４ａ，Ｈ３４ｂ回りに、９０°開いた状態である。
また、側板３３は、ヒンジＨ３３で１８０°開いた状態であり、平板状である。側板３４も同様である。
利用者は、端末保持箱３０を、箱状態から平板状態に変形する場合には、以下の手順に従えばよい。
【００４６】
（１）図７（Ａ）に示すように、扉４０を、ヒンジＨ４０回りに回転することにより開く。
（２）図７（Ａ）、図７（Ｂ）に示すように、側板３３を、内側に向けてヒンジＨ３３で折ることにより、２つ折りにする。この場合、側板３３及び下板３１は、ヒンジＨ３４ａ回りに回転することにより閉じる。また、側板３３及び上板３２は、ヒンジＨ３４ｂ回りに回転することにより閉じる。
同様に、側板３４を、内側に向けてヒンジＨ３４で折ることにより、２つ折りにする。この場合、側板３４及び下板３１は、ヒンジＨ３４ａ回りに閉じ、また、側板３４及び上板３２は、ヒンジＨ３４ａ回りに閉じる。
る。
これにより、下板３１、上板３２は、鉛直方向Ｚにおいて、近付くことにより重なる。
【００４７】
（３）図７（Ｂ）に示すように、補強片４１を、ヒンジＨ４１回りに下側Ｚ１に回転させることにより、補強片４１及び扉４０をヒンジＨ４１回りに閉じる。同様に、補強片４２及び扉４０をヒンジＨ４２回りに閉じる。
また、取手４３をヒンジＨ４３回りに下側Ｚ１に回転させることにより、取手４３及び扉４０をヒンジＨ４３回りに閉じる。
（４）図７（Ｃ）に示すように、扉４０及び下板３１をヒンジＨ４０回りに回転させることにより閉じる。
以上により、端末保持箱３０は、箱状態から平板状態に変形する。
なお、端末保持箱３０を平板状態から箱状態に変形する場合には、上記とは逆の内容の作業を行えばよい。
【００４８】
このように、分解状態の筒部１０、端末保持箱３０は、それぞれ平板状態に変形できる。また、レンズ枠２０は、平板状の部材である。このため、分解状態の保持具１は、コンパクトである。これにより、保管、流通時等の取り扱いが容易である。
【００４９】
なお、保持具１は、通常は、分解状態、かつ、筒部１０、端末保持箱３０をそれぞれ平板状態にした状態で、市場で流通する。
利用者は、保持具１を入手後、保持具１を使用する場合に、上記手順とは逆の内容の作業を行うことにより、保持具１を組み立てればよい。この場合、保持具１の筒部１０、端末保持箱３０の変形作業は、複雑な作業がないので、容易である。
また、利用者は、保持具１を保管等する場合には、保持具１を分解後、さらに筒部１０、端末保持箱３０をそれぞれ平板状態に変形させればよい。この作業も、上記説明の通り、容易である。
【００５０】
［保持具１を作製するための部品］
図８は、実施形態の保持具１を作製するための部品の一例を説明する図である。
図８（Ａ）に示すように、筒部１０は、２枚の板材７１Ｌ，７１Ｒによって、作製できる。板材７１Ｌ，７１Ｒは、左右対称の部材である。板材７１Ｌは、筒部１０の左側部分を構成し、板材７１Ｒは、筒部１０の右側部分を構成する。
板材７１Ｌの構成について説明する。
側板１３と、下板左部分１１Ｌとは、ヒンジＨ１３ａで接続されている。また、下板左部分１１Ｌには、仕切板保持部１７がヒンジＨ１２で接続されている。
仕切板保持部１７は、接着片１７ａ、仕切板挟み板１７ｂ（後述する）がヒンジＨ１７で接続されている。
同様に、側板１３、上板左部分１２Ｌとは、ヒンジＨ１３ｂで接続されている。また、上板左部分１２Ｌには、仕切板保持部１７がヒンジＨ１１で接続されている。
仕切板保持部１７は、接着片１７ａ、仕切板挟み板１７ｂがヒンジＨ１７で接続されている。
同様に、右側の板材７１Ｒは、側板１４に対して、下板右部分１１Ｒ、上板右部分１２Ｒが、ヒンジＨ１４ａ，Ｈ１４ｂで接続されている。また、下板右部分１１Ｒ、上板右部分１２Ｒに対して、それぞれ仕切板保持部１７がヒンジＨ１１，Ｈ１２で接続されている。
【００５１】
筒部１０を作製する場合には、左側の板材７１Ｌの下板左部分１１Ｌを、側板１３に対してヒンジＨ１３ａ回りに９０°回転し、また、仕切板保持部１７を、下板左部分１１Ｌに対してヒンジＨ１１回りに９０°回転する。同様に、板材７１Ｒの上板左部分１２Ｌ、仕切板保持部１７を、ヒンジＨ１３ｂ，Ｈ１２回りに９０°回転する。
さらに、右側の板材７１Ｒも、同様に、下板右部分１１Ｒ、上板右部分１２Ｒ、２つの仕切板保持部１７を９０°回転する。
そして、板材７１Ｌの接着片１７ａと、板材７１Ｒの接着片１７ａとを、粘着テープ７１ａ等で接着する。
以上により、筒部１０を作製できる。
なお、各板材７１Ｌ，７１Ｒの２つのヒンジＨ１１は、板材７１Ｌ，７１Ｒが接着されることにより、１つのヒンジとして機能する。ヒンジＨ１２も同様である。
【００５２】
図８（Ｂ）に示すように、レンズ枠２０は、１枚の板材７２と、レンズ２０ａによって作製できる。
板材７２は、表板７２ａ、裏板７２ｂが、折部７２ｃで接続されている。
レンズ枠２０を作製する場合には、表板７２ａ、裏板７２ｂ間にレンズ２０ａを挟み込むようにして、折部７２ｃで折った後に、表板７２ａ、裏板７２ｂを両面テープ等で接着すればよい。これにより、レンズ枠２０は、レンズ２０ａを保持できる。
【００５３】
図８（Ｃ）に示すように、端末保持箱３０は、１枚の板材７３によって作製できる。
板材７３は、接着片７３ａ、上板３２、側板３３、下板３１、側板３４が、図８（Ｃ）の左側から右側に向けて、各ヒンジＨ３４ｂ，Ｈ３３ｂ，Ｈ３３ａ，Ｈ３４ａで接続されている。下板３１の上側の辺部には、扉４０がヒンジＨ４０で接続されている。
扉４０の左右辺部には、補強片４１，４２がそれぞれヒンジＨ４１，Ｈ４２によって接続されている。また、扉４０の上辺部には、取手４３がヒンジＨ４３によって接続されている。
端末保持箱３０を作製する場合には、接着片７３ａを上板３２に対してヒンジＨ３４ｂ回りに９０°回転し、上板３２を側板３３に対してヒンジＨ３３ａ回りに９０°回転し、側板３３，３４をそれぞれ下板３１に対してヒンジＨ３３ａ，Ｈ３４ａ回りに９０°回転する。その後、側板３４と、接着片７３ａとを両面テープ等７３ｂで接着すればよい。
【００５４】
図８（Ｄ）に示すように、保持シート５０は、１枚の板材７５によって作製できる。
板材７５は、接着片７５ａ、前シート５１、奥シート５２が、図８（Ｄ）の左側から右側に向けて、ヒンジＨ７５ａ，Ｈ７５ｂで接続されている。
保持シート５０を作製する場合には、接着片７５ａを前シート５１に対してヒンジＨ７５ａ回りに１８０°回転後、接着片７５ａ及び奥シート５２を両面テープ等７５ｂ等で接着する。その後、保持シート５０を、端末保持箱３０の扉４０の内面に、両面テープ５５で接着する。
【００５５】
このように、保持具１は、部品点数が少なく、また、製造工程の作業が容易である。これにより、保持具１は、低コストで製造できる。
また、筒部１０、端末保持箱３０は、上記工程によって作製されることにより、図８（Ａ）、図８（Ｃ）で視認される側の面が内面となり、一方、図８（Ａ）、図８（Ｃ）で視認されない側の面が外面、つまり外観面となる。このため、図８（Ａ）、図８（Ｃ）で視認されない側の面に対して片面印刷すれば、筒部１０、端末保持箱３０を作製した状態では、印刷した面が外観面となる。このため、保持具１は、印刷を設ける場合にも、低コストである。
【００５６】
［双眼レンズ枠１２０、仕切板８０］
図９は、実施形態の双眼レンズ枠１２０を説明する図である。
図９（Ａ）は、双眼レンズ枠１２０の斜視図である。
図９（Ｂ）は、双眼レンズ枠１２０を作製するための部品の一例を説明する図である。
図１０は、実施形態の仕切板８０、筒部１０の仕切板保持部１７の近傍の構成の斜視図である。
図１０（Ａ）は、仕切板８０を仕切板保持部１７に取り付ける方法を説明する図である。
図１０（Ｂ）は、仕切板８０を仕切板保持部１７に取り付けた状態である。
図１０は、上側Ｚ２の仕切板保持部１７の構成を明確に説明するために、筒部１０の上板１２の図示を省略した。
双眼レンズ枠１２０の説明及び図面において、前述したレンズ枠２０と同様の機能を果たす部分には、同一の符号又は末尾（下２桁）に同一の符号を適宜付して、重複する説明を適宜省略する。
【００５７】
図９（Ａ）に示すように、双眼レンズ枠１２０は、２つのレンズ１２０ａを保持した部材である。
レンズ１２０ａは、例えば、凸レンズである。２つのレンズ１２０ａは、左右方向Ｘに並べて配置されている。２つのレンズ１２０ａは、それぞれ左眼観察用、右眼観察用である。
【００５８】
双眼レンズ枠１２０、レンズ枠２０の構成のうちレンズ以外の構成は、同様である。
つまり、双眼レンズ枠１２０の外形と、レンズ枠２０の外形とは、同様である。
また、双眼レンズ枠１２０は、レンズ枠２０と同様な、突出部２６ａ，突起２６ｂ、二次元コード１２７（双眼レンズ映像表示情報）を備える。
このため、筒部１０は、レンズ枠２０、双眼レンズ枠１２０を交換可能に装着できる。
保持具１を提供するメーカ等は、筒部１０、レンズ枠２０、端末保持箱３０に、双眼レンズ枠１２０を加えた保持具セットとして、販売してもよい。この場合には、利用者は、単眼用の映像、双眼用の映像に応じて、レンズ枠２０、双眼レンズ枠１２０を、筒部１０に装着できる。
【００５９】
但し、二次元コード１２７は、双眼レンズ用のコンテンツの映像を表示部５ａに表示するように命令するための情報を備える。
つまり、単レンズのレンズ枠２０の二次元コード２７が、単レンズ用のコンテンツの映像に関する情報を備えるのに対して、レンズ枠１２０の二次元コード１２７は、双眼レンズ用のコンテンツの映像に関する情報を備える。
このため、利用者が、端末５を保持具１に保持する前に、端末５の撮像装置を用いて、二次元コード１２７を読み取り取ると、端末５の制御部は、双眼レンズ用のコンテンツの映像を、表示部５ａに表示する。
このように、保持具１は、レンズ枠２０，１２０のそれぞれに、レンズの種類に対応した二次元コード２７，１２７を備える。このため、利用者は、複数のコンテンツのなかからレンズの種類に適切な映像を、間違えることなく選択できるし、また、映像を選択するための操作が容易である。
【００６０】
図９（Ｂ）に示すように、双眼レンズ枠１２０を作製する場合には、板材１７２の表板１７２ａ、裏板１７２ｂ間に、２つのレンズ１２０ａを挟み込むようにして、折部１７２ｃで折った後に（矢印Ａ１７２参照）、表板１７２ａ、裏板１７２ｂを両面テープ等で接着すればよい。これにより、双眼レンズ枠１２０は、２つのレンズ１２０ａを保持できる。
【００６１】
図１０に示すように、双眼レンズ枠１２０を利用する場合には、仕切板８０を、筒部１０に装着する。
仕切板８０は、ＹＺ平面に平行に配置される。仕切板８０は、左右方向Ｘにおいて、筒部１０の中央に配置される。このため、仕切板８０は、双眼レンズ枠１２０を筒部１０に装着した状態で、左眼観察範囲、右眼観察範囲を仕切ることができる。
これにより、利用者は、双眼レンズ用の左右の各映像を、左眼、右眼で観察しやすい。
また、仕切板８０は、鼻避８９を備える。このため、利用者は、鼻が仕切板８０に接触しにくいため、端末５の映像を観察しやすい。
【００６２】
図１０（Ａ）に示すように、左右の接着片１７ａが接合されることにより、２つの仕切板挟み板１７ｂは、下板１１の中央から内側に突出した状態で、ヒンジＨ１７回りに開閉する。上側Ｚ２の２つの仕切板挟み板１７ｂも同様である。
仕切板８０は、板材により形成される。
仕切板８０は、奥方の四角形部分８１が、下側Ｚ１の２つの仕切板挟み板１７ｂの間に挟み込まれることにより、筒部１０に装着される。
左右の２つの仕切板挟み板１７ｂの形状は、異なる。
すなわち、左側Ｘ１（一方）の仕切板挟み板１７ｂのコーナ部は、Ｃ面状にコーナ処理１７ｃがされている。そのため、右側Ｘ２（他方）の仕切板挟み板１７ｂのコーナ部の領域が露出している。このため、利用者は、仕切板８０を装着する場合、右側Ｘ２の仕切板挟み板１７ｂのコーナ部に、四角形部分８１のコーナ部を引っ掛けることにより、２つの仕切板挟み板１７ｂを開くことができる。
上側Ｚ２の仕切板挟み板１７ｂについても、同様である。このため、仕切板８０を装着する作業は容易である。
【００６３】
［保持具１の寸法設定、保持具組み立てセット］
保持具１の寸法設定について説明する。
なお、以下の説明では、各部材の板厚は、十分に小さいため、左右方向Ｘ及び鉛直方向Ｚにおいて、筒部１０の外形と端末保持箱３０の外形とは、等しいものとした。
図１（Ｂ）に示すように、保持具１の鉛直方向Ｚの長さＬ１Ｚ（端末保持具を奥行方向Ｙから見た状態における縦方向）は、左右方向Ｘの長さＬ１Ｘの半分である。このため、以下の式が成り立つ。
Ｌ１Ｚ＝Ｌ１Ｘ／２・・・・・・式１
【００６４】
筒部１０の平板状態において、鉛直方向Ｚの長さＬ１０Ｚ（図６（Ｂ）参照）は、側板１３，１４（つまり長さＬ１Ｚ）と、下板１１、上板１２の長さの半分（つまり長さＬ１Ｘの半分）との和である。このため、以下の式が成り立つ。
Ｌ１０Ｚ＝Ｌ１Ｚ＋Ｌ１Ｘ／２・・・式２
式１、式２から以下の式が成り立つ。
Ｌ１０Ｚ＝Ｌ１Ｘ・・・式３
一方、端末保持箱３０の平板状態において、左右方向Ｘの長さＬ３０Ｘ（図７（Ｃ）参照）は、保持具１の左右方向Ｘの長さＬ１Ｘに等しい。
Ｌ３０Ｘ＝Ｌ１Ｘ・・・式４
【００６５】
図１１は、実施形態の保持具１の収容例を示す斜視図である。
図１１に示すように、式３、式４により、平板状態において、筒部１０の外形の長さＬ１０Ｚと、端末保持箱３０の外形の長さＬ３０Ｘとは、等しい。
このため、平板状態において、筒部１０、端末保持箱３０を重ねた場合に、収まりがよい。
【００６６】
さらに、平板状態において、筒部１０、端末保持箱３０を重ねた状態の外形を、国際規格（ＩＳＯ２１６等）で規定される外形に合わせてもよい。
例えば、保持具１の左右方向Ｘの長さＬ１Ｘを、Ｂ６版の長辺の長さにし、鉛直方向Ｚの長さＬ１ＺをＢ６版の短辺の長さにすることにより、筒部１０の長さＬ１０Ｚと、端末保持箱３０の外形の長さＬ３０Ｘとは、Ｂ６版の長辺の長さにすることができる。かつ、平板状態における、筒部１０の外形の他方の長さ、端末保持箱３０の外形の他方の長さのうち一方を、又は両方を、Ｂ６版の短辺の長さにする。この場合には、筒部１０、端末保持箱３０を重ねた状態の外形を、書籍等の外形に合わせることができる。
【００６７】
また、図１１に示すように、筒部１０、レンズ枠２０，１２０、端末保持箱３０、仕切板８０は、重ねて、収容箱９０に収容した保持具組み立てセットとして、市場に提供してもよい。この場合にも、筒部１０、端末保持箱３０を重ねた状態の外形をＢ６版等にすることにより、収容箱９０の外形をＢ６版等の書籍の外形に合わせることができる。このため、保持具組み立てセットは、例えば、書籍の景品等として、書籍と一体で提供等をできる。
【００６８】
以上説明したように、本実施形態の保持具１は、強度が向上でき、組み立てが容易であり、端末５の操作が容易であり、また、双眼、単眼用の映像を観察できる。このため、保持具１は、使い勝手がよい。
【００６９】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７０】
（変形形態）
（１）実施形態において、筒部の断面形状は、長方形の枠状である例を示したが、これに限定されない。例えば、筒部の断面形状は、長方形以外の多角形でもよい。
【００７１】
（２）実施形態において、筒部の装着部は、切り欠きを備える例を示したが、これに限定されない。筒部の装着部は、切り欠きの代わりに、穴を備えていてもよい。この場合でも、単レンズ枠、双眼レンズ枠の突出部をこの穴に挿抜することにより、単レンズ枠、双眼レンズ枠は、筒部に交換可能に装着できる。
【００７２】
（３）実施形態において、保持具は、ＶＲを体験するものである例を示したが、端末の映像を観察するために使用するものであれば、用途は限定されない。保持具は、例えば、オーグメンテッドリアリティ（ＡＲ）等を体験するために用いてもよい。この場合には、端末保持箱の奥板のうち、端末のカメラレンズに対応した位置に、穴を開けておけばよい。
また、保持具は、端末の音声出力端子に接続するヘッドフォンのケーブルを挿通するケーブル挿通穴を備えていてもよい。ケーブル挿通穴は、例えば、端末保持箱に設ければよい。この場合には、プレイヤは、コンテンツに含まれる音声を、ヘッドフォンで楽しむことができる。
【符号の説明】
【００７３】
１…保持具    ５…端末    ５Ｂ…端末    ５ａ…表示部    １０…筒部    １１…下板    １２…上板    １３，１４…側板    １３ａ，１４ａ…操作穴    １６…レンズ枠装着部    １６ａ…切り欠き    １６ｂ…突起    １７…仕切板保持部    １７ｂ…仕切板挟み板    １７ｃ…コーナ処理    ２０…レンズ枠    ２０ａ，１２０ａ…レンズ    ２１…下辺部    ２２…上辺部    ２６ａ…突出部    ２６ｂ…突起    ２７，１２７…二次元コード    ３０…端末保持箱    ３１…下板    ３１ａ…前辺部    ３２…上板    ３２ａ…ロック用穴    ３２ｂ…取手用切り欠き    ３３，３４…側板    ４０…扉    ４１，４２…補強片    ５０…保持シート    ５１…前シート    ５２…奥シート    ５２ａ…ロック用突起    ８０…仕切板    Ｈ１１，Ｈ１２，Ｈ１３ａ，Ｈ１３ｂ，Ｈ１４ａ，Ｈ１４ｂ，Ｈ１７，Ｈ３３，Ｈ３３ａ，Ｈ３３ｂ，Ｈ３４，Ｈ３４ａ，Ｈ３４ｂ，Ｈ４０，Ｈ４１，Ｈ４２，Ｈ４３…ヒンジ
【図１】
2018006920.tif 000003
【図２】
2018006920.tif 000004
【図３】
2018006920.tif 000005
【図４】
2018006920.tif 000006
【図５】
2018006920.tif 000007
【図６】
2018006920.tif 000008
【図７】
2018006920.tif 000009
【図８】
2018006920.tif 000010
【図９】
2018006920.tif 000011
【図１０】
2018006920.tif 000012
【図１１】
2018006920.tif 000013